Podtech/llm-jp-corpus-v4-ja_patent huggingface dataset:
(57)【要約】      （修正有）【課題】  トリムカバーと一体発泡する首振りヘッドレストにおいて、その外観品質を向上させることである。【解決手段】  ステー挿通用兼首振り用スリット１の内部より、パッド成形用の発泡液を注入してパッドを成形してなる。トリムカバー４の底布４０に長孔を設け、この長孔の孔縁に、一端を閉口した略筒状に縫製した布の開口部を縫着し、この筒状の布地内に、中子Ｍ１を挿着した後、この中子Ｍ１に、ノズルを挿し込んで、袋状のトリムカバー４内にパッド発泡成形用の発泡液を注入してパッド３を発泡成形するようにしても良い。【選択図】  図２
2008246822.tif 000002
【特許請求の範囲】
【請求項１】
袋状に縫製したトリムカバー内にパッドを一体発泡し底面にステー挿通用兼首振り用スリットを有する首振りヘッドレストであって、前記パッドは前記スリットの内部よりパッド成形用の発泡液を注入して成形してなる首振りヘッドレスト。
【発明の詳細な説明】
【技術分野】
【０００１】
本発明は、自動車用シートに前傾可能に取付ける首振りヘッドレストに関する。
【背景技術】
【０００２】
従来の自動車用シートに取付けるヘッドレストには、トリムカバーを袋状に縫製し、その内部にフレームを挿入し、そのフレームに取付けてシート側に固定するステーをトリムカバーの外部に突出した状態で、トリムカバー内にパッド成形用の発泡液を注入して、パッドをトリムカバー、フレーム等と一体に発泡成形している。
【０００３】
そして、前記発泡液はトリムカバーのヘッドレストの底面側に開孔した注入口より注入している(例えば、特開平９−１１２５２号公報参照)。
【０００４】
【特許文献１】特開平９−１１２５２号公報
【発明の開示】
【発明が解決しようとする課題】
【０００５】
ところで、前記ヘッドレストにはヘッドレストカバーがシート側に固定するステーに対して前後方向に回動する首振りヘッドレストがある。
【０００６】
この首振りヘッドレストはヘッドレストが首振りできるように、ヘッドレスト本体の底面に前後方向に長い長孔からなるスリットが開孔され、このスリットに前記ステーが挿通されている。
【０００７】
また、前記従来のトリムカバーなどを一体発泡してパッドを成形するヘッドレストは、外部から視覚され難いヘッドレスト本体の底面に位置するトリムカバーに前述の如く、パッド成形用の発泡液を注入する注入孔を設けている。
【０００８】
そして、ヘッドレストが前後方向に回動する首振りヘッドレストにおいては、ヘッドレストを後傾した際に、前記注入孔が視覚され、逆にヘッドレストを前傾した際には、後席側から前記注入孔が視覚される。
【０００９】
そのため、首振りヘッドレストはパッド発泡液注入用の注入孔が、首振り後、露出するため、ヘッドレストの外観品質が悪くなる不具合があった。
【００１０】
そこで、本発明は斯様な首振りヘッドレストの不具合を解消することを目的とする。
【課題を解決するための手段】
【００１１】
以上の目的を達成するための本発明は、袋状に縫製したトリムカバー内にパッドを一体発泡し底面にステー挿通用兼首振り用スリットを有する首振りヘッドレストであって、前記パッドは前記スリットの内部よりパッド成形用の発泡液を注入して成形してなることを特徴とする。
【発明の効果】
【００１２】
本発明によれば、外部から視覚されない前記スリットの内部に、パッド成形用の発泡液を注入するための注入孔が設けてあるので、注入孔が露出しない。また、注入孔から発泡液が外部に漏出しても、漏出個所も外部から視覚されない。そのため、外観品質に優れた首振りヘッドレストを提供できる。
【００１３】
加えて注入孔に発泡液漏出防止手段を設ける必要がないため、発泡成形が簡単、容易になる。
【発明を実施するための最良の形態】
【００１４】
以下、本発明の一実施例を図面に基づいて説明する。
図１は首振りヘッドレストの本体Ｈを示し、この本体Ｈは袋状に縫製したトリムカバー４と、この内部に挿着したフレーム(不図示)と、フレームに対して前後方向に回動可能に取付けて本体Ｈより一部が外部に突出するステーＳ、Ｓ１と、トリムカバー４内にパッド成形用の発泡液を注入してトリムカバー４、フレームなどと一体発泡したパッド３とから構成されている。
【００１５】
そして、図１に示すように、本体Ｈの底部には従来品と同様に、ステー挿通用兼首振り用の前後方向に長い長孔からなるスリット１、１Ａが開孔され、このスリット１、１ＡにステーＳ、Ｓ１が挿通されており、このスリット１、１Ａにより、本体Ｈが矢印方向である前後方向に首振りできるように構成されている。
【００１６】
なお、図１において、図中４０は本体Ｈの底部に位置するトリムカバー４の底布で、この底布４０にはステーＳ、Ｓ１付のフレームを袋状のトリムカバー４内に挿入するための開口部２１が形成され、この開口部２１はフレームなど挿入後、閉口されて、パッド３が発泡成形される。
【００１７】
そして、一方のスリット１の内部から、前記パッド成形用発泡液をノズルより注入して前記パッド３を成形している。
【００１８】
即ち、例えば、図２に示すように、成形型Ｍと一体又は別体で前記一方のスリット１を成形するための中子Ｍ１に、ノズルＮを挿込み、このノズルＮより、袋状に縫製したトリムカバー４内に、パッド成形用の発泡液を注入することにより、パッド３をトリムカバー４、フレーム、ステーの一部Ｓ２と一体発泡する。
【００１９】
なお、図示するステーは略Ｕ字状に折曲し、その両脚を前記ステーＳ、Ｓ１とし、中央部Ｓ２をフレームに摩擦力など回動自在に取付け、ステーＳ、Ｓ１が前記スリット１、１Ａに挿通されている。
【００２０】
図示するものは、スリット１、１Ａが中子Ｍ１の挿入により直接形成しているが、トリムカバー４の底布４０に長孔を設け、この長孔の孔縁に、一端を閉口した略筒状に縫製した布の開口部を縫着し、この筒状の布地内に、中子Ｍ１を挿着した後、この中子Ｍ１に、ノズルを挿し込んで、袋状のトリムカバー４内にパッド発泡成形用の発泡液を注入してパッド３を発泡成形するようにしても良い。
【００２１】
また、トリムカバー４の底布４０に設けた開口部２１及びスリット１、１Ａには、前記パッド成形用の発泡液の外部への漏出を防止するための手段が設けてある。
【００２２】
本発明は以上の如く、スリット１の内部から袋状のトリムカバー４内にパッド発泡成形用の発泡液を注入するため、従来品の如く、発泡液を注入する注入孔をトリムカバー４の底布４０に設ける必要がない。
【００２３】
従って、注入孔に設ける発泡液漏出防止手段が不要となる。また、本発明はスリット１の内部より発泡液を注入するため、注入個所が外部に露出しない。しかも、スリット１内に発泡液が漏出しても、その部分が外部から視覚されないので、外観品質に優れた首振りヘッドレストを提供できる。
【図面の簡単な説明】
【００２４】
【図１】本発明に係る首振りヘッドレストの斜視図である。
【図２】発泡成形時の部分拡大断面図である。
【符号の説明】
【００２５】
１…スリット、４…トリムカバー
【図１】
2008246822.tif 000003
【図２】
2008246822.tif 000004
(57)【要約】      （修正有）【課題】バックの中に入れて、常に持っていれられるので、便利になる。【解決手段】女性が持っていて、可愛い感じにして、チャック３を設けて、ネックレスや指輪などをいれて、キズが付かないようにして、外観も花柄模様２の淡いピンクや、淡いライラックの色調とし、更に内側にはチャック３で四角い小袋２を作って、回りはグレーか紺色等でトリミング４するなど、色々とアイデアを出して、製作段階で完成度を上げて、それを事業化をめざす。【選択図】図１
2008246184.tif 000002
【特許請求の範囲】
【請求項１】
商品の色をライトグレーにして、花模様を入れる
（フタをして、ワンポイトとして）花はスイトピー  ピンクライラック
【請求項２】
色  ベージュ地にすずらんの花  ワンポイント
チャックが中側ですのでフタをして、その生地に１ヶ所
【発明の詳細な説明】
2008246184.tif 000003
2008246184.tif 000004
【手続補正書】
【提出日】平成19年8月21日(2007.8.21)
【手続補正２】
【補正対象書類名】明細書
【補正対象項目名】全文
【補正方法】変更
【補正の内容】
【発明の詳細な説明】
【技術分野】
【０００１】
【技術背景】
【０００２】生地がしっかりしている木綿、ポリエステル（厚地）まわりをミシンでふちどりする。出し入れするところにチャック（金具）を付ける。
【発明が解決しようとする課題】
【０００３】便利のため。
【課題を解決するための手段】
【０００４】ケースを作る。
【発明の効果】
【０００５】便利になる（分けて入れてバックに入れて、持ち歩く）
【発明を実施するための最良の形態】
【０００６】オリタタミで、小形。会社等に買って頂いて、なるべく早く商品化する
【産業上の利用可能性】
【０００７】ヒットする（若い人から中年まで）
【図面の簡単な説明】
【０００８】
【図１】図面は、フタをする部分と、たたんだところと、オリタタム
【符号の説明】
【０００９】１．ブルー地、グレー生地２．花模様淡ピンク淡いライラック（スイトピー）３．内側にチャックの四角小袋を作る４．品物の周りをトリミングする色はシルク生地オフホワイト
【手続補正３】
【補正対象書類名】図面
【補正対象項目名】全図
【補正方法】追加
【補正の内容】
【図１】
2008246184.tif 000005
(57)【要約】      （修正有）【課題】重いキャディバックのスムーズな移動を提供する。【解決手段】下部車輪の高さをバック下部と同じ高さにして、移動しない時バックが動かないようにする、バックを移動する場合は、引手を引く事によりバック全体が斜めとなるためスムーズな移動が可能となる。又、車輪が小さくバック下部に組み込まれているため、車輪が邪魔にならず低価格により取り付け出来ることを特徴とするゴルフバックである。【選択図】図１
2008246182.tif 000002
【特許請求の範囲】
【請求項１】
キャディバックの下部に車輪を装着したことを特徴とするゴルフ用キャディバックである。
【発明の詳細な説明】
【技術分野】
【０００１】  本発明は、車輪をつけたキャディバックに関するものである。
【背景技術】
【０００２】  従来、キャディバックには車輪は付いていなかった。
【発明の開示】
【発明が解決しようとする課題】
【０００３】  そのために次のような問題点があった。
（イ）、重いキャディバックの移動手段は、手で持つか肩に掛けるしかなかった。
本発明は、これらの問題点を解決するためになされたものである。
【課題を解決するための手段】
【０００４】  下部に車輪を付けたキャディバックである。
【発明の効果】
【０００５】  キャディバックの移動がらくになる。
【発明を実施するための最良の形態】
【０００６】  以下、本発明の実施の形態について説明する。
（イ）引手（２）を引きやすいように上部に付け、車輪（１）を下部に付ける。本発明は以上の構成により、キャディバックの移動がよりスムーズとなる。
【図面の簡単な説明】
【０００７】
【図１】本発明の平面図
【図２】本発明の側面図
【図３】本発明の低面図
【符号の説明】
【０００８】  １  車輪
２  引手
【図１】
2008246182.tif 000003
【図２】
2008246182.tif 000004
【図３】
2008246182.tif 000005
(57)【要約】【課題】就寝時の乳幼児に多く観られる活発な手足の動きや、寝返りになどに伴うタオルケットの体からのまくれ上がりやズリ落ちを防ぎ、寝冷え等による体調不良要因を簡単に回避出来ると共に、通常の肌掛け用としてもそのまま支障なく使用出来る乳幼児用タオルケットを提供する。【解決手段】乳幼児用タオルケットの短辺側縁端に複数個のドットボタン、結び紐あるいはマジックテープ等、任意の固定用部材を設けた事を特徴とするタオルケット。【選択図】図２
2008246183.tif 000002
【特許請求の範囲】
【請求項１】
乳幼児用タオルケットの短辺側縁端に複数個のドットボタン、結び紐あるいはマジックテープ等による任意の固着用部材を設けたタオルケット。
【発明の詳細な説明】
【技術分野】
【０００１】この発明は、乳幼児用のタオルケットの縁端部にドットボタン、結び紐あるいはマジックテープ等による任意な固定部材を縫合して成るタオルケットに関するものである。
【背景技術】
【０００２】従来乳幼児用のタオルケットは、シート状あるいはかぶり込みタイプの肩掛け付き品が汎用となっていた。
【発明の開示】
【発明が解決しようとする課題】
【０００３】上記したように、従来のタオルケットは就寝時の乳幼児特有の寝相の悪さに伴い、使用中簡単にまくれあがるか体からの離脱により、その目的とする保温性を維持する事が難しく、また肩掛け付き品では気温によっては暑さを加減するための考慮を払う必要がある等の欠点があった。この現象は乳幼児を持つ家庭の主婦の多くが体験しているところである。本発明は以上の欠点を解決するためになされた寝冷え防止用タオルケットの提供に関するものである。
【課題を解決するための手段】
【０００４】乳幼児用タオルケット（１）の短辺側の両縁端部にドットボタン、結び紐あるいはマジックテープ等による任意の固定部材（２）を縫合した寝冷え防止用のタオルケットである。
【発明の効果】
【０００５】この発明は就寝時に乳幼児の体にタオルケットを巻き付け、端部を固着する事により乳幼児に特有な活発な動きに伴うまくれ上がり、またはズレ落ち発生による体の露出を防ぎ、保温目的を簡単に維持できる効果を有するものであり、特に気温の高い夏期時の寝冷えによる体調不調防止に優れた効果を発揮出来るものである。また、普通の肌掛けタオルケットとしてそのまま使用出来る複合効果をも合わせ持つものである。
【発明を実施するための最良の形態】
【０００６】本発明を実施するための最良の形態について説明する。乳幼児用のタオルケット（１）の短辺側の両縁端複数箇所にドットボタン（２）を縫合した構成である。
本発明による実施例を説明すると、市販品である乳幼児用タオルケット（１）の短辺側４箇所にドットボタン（２）を縫合し、幼児の体に巻き付けた後はずれ防止のボタン止めをする事で幼児の寝返りや活発な手足の動きに伴うタオルケットのズレあるいは脱落を防止出来、目的とする保温機能を簡単且つ安全に維持する事が確認出来た。
【図面の簡単な説明】
【０００７】
【図１】  本発明の斜視図である。
【図２】  本発明の着用状態の模式図である。
【符号の説明】
【０００８】  １    乳幼児用タオルケット
２    ドットボタン
【図１】
2008246183.tif 000003
【図２】
2008246183.tif 000004
(57)【要約】【課題】  身体機能の回復度合いにより、リハビリ訓練内容が任意に種々変更可能（装着方向、負荷可変）なリハビリ器具を提供することを目的とする。【解決手段】  熱可塑性樹脂によって形成された容器本体２と、前記容器本体２を巻き止める容器取付バンド４と、手首に取付けるためのリストバンド５から構成されている。【選択図】      図１
2008246122.tif 000002
【特許請求の範囲】
【請求項１】
熱可塑性樹脂によって形成され、先端を円錐状に成し、その端部を開口とすると共に略中心位置にバンド取付部を有し、他端底面とを一体成形した筒状の容器本体と、
開栓時に容器本体と繋がった状態で開口部を開閉するキャップと、
帯状に形成され、一端に一定の間隔をもって複数の止め穴と、
他端に前記止め穴に対応したボスが形成され、
前記止め穴にボスを嵌め合わせることにより容器本体を環状に巻き止める容器取付バンドと、
手首に着脱自在に取付ける伸縮性を有するリストバンドと、から構成され、
前記容器取付バンドは、リストバンドに設けられた軸に回転自在に取付けられている、
ことを特徴とするリハビリ器具。
【発明の詳細な説明】
【技術分野】
【０００１】
本発明は、風呂場等で使用する上肢の身体機能障害の回復訓練に用いるセルフ形のリハビリ器具に関するものである。
【背景技術】
【０００２】
従来より例えば、上下肢の身体機能障害の回復訓練にプール等での歩行・水泳等のトレーミングが知られている。この訓練に際し、胴体、腕等に装着する半円環状に２分割した開閉式浮輪が特許文献１に開示されている。
【０００３】
特許文献はリハビリ訓練に際して、装着性を高めた開閉式浮輪であって、当該浮輪を半円環状に２分割して丁番と連結具で開閉自在に構成し、開いた浮輪を後ろからはめ前の連結部で体に装着する構造となっている。
【０００４】
【特許文献１】第３０５７７５５号
【発明の開示】
【発明が解決しようとする課題】
【０００５】
しかしながら上記開閉式浮輪は、その装着性のみを高めたものであって、身体機能の回復度合いに適合して訓練内容（条件）を種々変更可能としたものではなかった。
【０００６】
本発明は身体機能の回復度合いにより、リハビリ訓練内容が任意に種々変更可能（装着方向、負荷可変）なリハビリ器具を提供することを目的とする。
【課題を解決するための手段】
【０００７】
上記問題を解決するために本発明の請求項１に記載のリハビリ器具は、熱可塑性樹脂によって形成され、先端を円錐状に成し、その端部を開口とすると共に略中心位置にバンド取付部を有し、他端底面とを一体成形した筒状の容器本体と、開栓時に容器本体と繋がった状態で開口部を開閉するキャップと、帯状に形成され、一端に一定の間隔をもって複数の止め穴と、他端に前記止め穴に対応したボスが形成され、前記止め穴にボスを嵌め合わせることにより容器本体を環状に巻き止める容器取付バンドと、手首に着脱自在に取付ける伸縮性を有するリストバンドと、から構成され、前記容器取付バンドは、リストバンドに設けられた軸に回転自在に取付けられていることを特徴とする。
【発明の効果】
【０００８】
身体機能の回復度合いにより、リハビリ訓練内容、即ち、リハビリ器具の装着方向（縦向き装着、横向き装着）、また容器の重量を任意に変更可能とした安価なセルフ形のリハビリ器具が身近に使用することができる。
【発明を実施するための最良の形態】
【０００９】
以下、本発明の実施の形態について詳細に説明する。
図１は、本実施の形態にかかるリハビリ器具の分解斜視図である。
リハビリ器具１は、ＰＰ、ＰＥ、ＰＥＴ、ＰＢＴ等の熱可塑性樹脂によって形成された容器本体２と、前記容器本体２を巻き止める容器取付バンド４と、手首に取付けるためのリストバンド５から構成されている。
【００１０】
前記容器本体２は、先端２ａを円錐状に成し、その端部を開口とすると共に、略中心位置にバンド取付部２ｂを有して底面２ｃとを一体成形した筒状（角型、丸型）を形成し、前記先端２ａには、開栓時に容器本体２と繋がった状態で開口を開閉するキャップ３が止めリング２ｄを介して設けられている。
【００１１】
前記容器取付バンド４は、シリコン製であって帯状に形成され、一端に一定の間隔をもって複数の止め穴４ａと、他端に前記止め穴４ａに対応したボス４ｂが形成され、前記止め穴４ａにボス４ｂを嵌め合わせることにより容器本体２を環状に巻き止める。尚、容器取付バンド４は、容器本体２のバンド取付部２ｂに取り付けられる。
【００１２】
前記リストバンド５は、リハビリを要する上肢の手首、腕に着脱自在に取付ける伸縮性を有するシリコン製または綿製から成り、軸６を介して前記容器取付バンド４を回転自在に連結している。
【００１３】
次に以上のように構成された本発明のリハビリ器具の作用を、風呂場等の水面、水中での使用形態について説明する。
【００１４】
先ずは、リバビリの初期段階では、熱可塑性樹脂の容器本体２の浮力を利用して本発明のリハビリ器具１を着状態で水中の中で上肢を伸ばしたり縮めたりの動作訓練を行う。
【００１５】
次に、身体機能障害の回復状況に応じて、容器本体２内に水を入れ、且つ、図３乃至図５の装着状態で前記と同様に上肢の屈伸動作を行う。このとき図３にあっては、上肢の伸ばし方向に容器本体２の先端２ａ（円錐形状）があるので、伸ばし動作はスムーズに行うことができる。逆に戻し（縮み）動作にあっては、容器本体２のフラットな底面２ｃであることからと比較的負荷を増す。図４は、図３とは逆の動作にて負荷が加わる。図５は、容器本体２が、上肢の屈伸動作に対し横方向にあるので、伸ばし動作、戻し動作共に同負荷である。以上、容器本体２への水量とその装着状態によって、リハビリ訓練条件は、他種に設定できる。
【００１６】
尚、容器本体２は、その代用として市販のペットボトルも使用可能である。また、容器内部に負荷（加重）として流入排出するものとしては水の他に、小石、砂、土などの固形物体も加重として使用できるものとする。また、容器取付バンド４には面ファスナーやベルト等、固定するものを代替として使用できる。
【産業上の利用可能性】
【００１７】
下肢の身体機能回復にも使用できる。
【図面の簡単な説明】
【００１８】
【図１】本実施の形態にかかる分解斜視図である。
【図２】本実施の形態にかかる外観斜視図である。
【図３】使用の形態を示す図で上肢の伸ばし方向に容器本体の先端がある。
【図４】使用の形態を示す図で上肢の伸ばし方向に容器本体の底面がある。
【図５】使用の形態を示す図で上肢の伸ばし方向に対し容器本体が横方向にある。
【符号の説明】
【００１９】
１    リハビリ器具
２    容器本体
２ａ  容器先端
２ｂ  バンド取付部
２ｃ  容器底面
２ｄ  止めリング
３    キャップ
４    容器取付バンド
４ａ  止め穴
４ｂ  ボス（止め具）
５    リストバンド
６    軸
【図１】
2008246122.tif 000003
【図２】
2008246122.tif 000004
【図３】
2008246122.tif 000005
【図４】
2008246122.tif 000006
【図５】
2008246122.tif 000007
(57)【要約】【課題】従来の垂直軸型風力発電装置のローター構造は部品点数、加工工程が多く、その結果軽量化に向かず、組立て工数の削減も達成できないのが現状であり、高効率の垂直軸型風力発電装置には不向きであった 【解決手段】２枚のブレード１／１、１／２を一本のメインアーム２に集約することで、パーツ数、加工工程を大幅に減少させると共に、軽量で組立工数の少ない垂直軸型風力発電装置を提供する事が可能となった為、風力発電装置のさらなる普及と地球環境への改善にも大きく寄与できる構造である。【選択図】図１
2008051069.tif 000002
【特許請求の範囲】
【請求項１】
垂直軸型風力発電装置における１腕２分岐タイプのローター支持方式は２枚のブレードを一本のメインアームで支持する方式で、一本のメインアームには二本のサブアームと２枚のブレードを持ち、一機の風力発電装置には２本以上のメインアームを設置する事を特徴とする垂直軸型風力発電装置における１腕２分岐タイプのローター支持方式である。  
【請求項２】
垂直軸型風力発電装置における１腕２分岐タイプのローター支持方式は２組のローターが基本タイプで、３組タイプ、４組タイプと組合はせる事によって効率を向上させる事を特徴とする請求項1記載の垂直軸型風力発電装置における１腕２分岐タイプのローター支持方式である。
【請求項３】
垂直軸型風力発電装置における１腕２分岐タイプのローター支持方式のブレードには、筋交いを設ける事によって、ブレードの強度を高める事を特徴とする請求項1記載の垂直軸型風力発電装置における１腕２分岐タイプのローター支持方式である。  
【発明の詳細な説明】
【技術分野】
【０００１】
本発明は、垂直軸型風力発電装置におけるもので、軽量で部品点数及び加工数が少なく、組み立て工数を減少させる事が可能な垂直軸型風力発電装置における１腕２分岐タイプローター支持方式に関するものである。  
【背景技術】
【０００２】
垂直軸型風力発電装置のローターの支持構造とその製作に関する技術で、２枚のブレードを一本のメインアームで支持する事により、部品点数及び加工数が少なく尚かつ、軽量で組立て工数が少ない事を特徴とする。垂直軸型風力発電装置を対象とした風力発電風車は特許文献1に記載されたものがある。  
【０００３】
この特許文献1に記載の従来の垂直軸型風力発電装置は非常に合目的で、ブレードの剛性確保できる事を特徴としている。  
【発明の開示】
【発明が解決しようとする課題】
【０００４】
【特許文献１】特開2005-105911
【０００５】
しかし特許文献1に記載の従来の垂直軸型風力発電装置は、ブレード支持はそれぞれ専用のアームが用意され、最大４本の部材で構成されている。この構造は部品点数、加工数が多く又、取付工数も減少できないという欠点を有している。  
【０００６】
垂直軸型風力発電装置において、普及化には軽量化、構造の簡略化、コスト軽減は必須であり、  
この課題が解決されてはじめて、高効率垂直型風力発電の普及が可能となる。
【課題を解決するための手段】
【０００７】
本発明は垂直軸型風力発電装置において、垂直軸型風力発電装置における１腕２分岐タイプのローター支持方式は２枚のブレードを一本のメインアームで支持する方式で、一本のメインアームには二本のサブアームと２枚のブレードを持ち、一機の風力発電装置には２本以上のメインアームを設置する事を特徴とする垂直軸型風力発電装置における１腕２分岐タイプのローター支持方式を持つ事を特徴としている。  
【０００８】
ブレード１／１〜１／４まで、筋交い８によって、各ブレード１／１〜１／４の強度が高められている事を特徴としている。  
【０００９】
垂直軸型風力発電装置における１腕２分岐タイプのローター支持方式は２組のローターが基本タイプで、３組タイプ、４組タイプと組合わせる事によって効率を向上させる事を特徴とする請求項1記載の垂直軸型風力発電装置における１腕２分岐タイプのローター支持方式を持つ事を特徴としている。
【発明の効果】
【００１０】
本発明による、垂直軸型風力発電装置における１腕２分岐タイプのローター支持方式の採用は軽量化、構造の簡略化、コスト軽減をもたらし、風力発電の普及と地球環境の改善に貢献する事ができる。
【発明を実施するための最良の形態】
【００１１】
本発明実施の形態に係る垂直軸型風力発電装置における１腕２分岐タイプのローター支持方式を図面に基づいて説明する。図1は本発明を示す概略構成図と１腕２分岐タイプローターの取付アレンジの１例を示す。  
【実施例】
【００１２】
図1に示すようにブレード１／１，１／２又はブレード１／３，１／４はそれぞれメインアームＡ２，メインアームＢ３にブレード２枚一組にて配置され、発電機本体９に固定される。
【００１３】
ブレード１／１〜１／３，１／４は筋交い８が装備されており、その強度が高められている。  
【００１４】
図２において、ローターはブレード１／１，１／２乃至はブレード１／３，１／４の２枚を一組に配置され、その取付アレンジは２ロータータイプＡ１や３ロータータイプＡ２等、その高率に従って、様々な展開がある。  
【産業上の利用可能性】
【００１５】
本発明は垂直軸型風力発電装置を利用して、１腕２分岐タイプローター事によって、部品点数及び初期費用を低減する事によって、風力発電の普及に貢献出来る事になり、ひいては地球温暖化防止及び地球環境改善に大きく寄与する事ができるので、産業の振興への貢献は計りしれない。  
【図面の簡単な説明】
【００１６】
【図１】本発明の実施に係る垂直軸型風力発電装置における１腕２分岐タイプのローター支持方式を示す全体概略図である。（実施例１）
【図２】本発明の実施に係る垂直軸型風力発電装置における１腕２分岐タイプのローター支持方式を示すローター構造による取付アレンジを示す概略パターン図である。（実施例２
【符号の説明】
【００１７】
１／１    ブレード１  
１／２    ブレード２  
１／３    ブレード３  
１／４    ブレード４  
２    メインアームＡ  
３    メインアームＢ  
４    サブアーム１  
５    サブアーム２  
６    サブアーム３  
７    サブアーム４  
８    筋交い  
９    発電機本体  
１０    支柱
Ａ１    ２ロータータイプ
Ａ２    ３ロータータイプ
【図１】
2008051069.tif 000003
【図２】
2008051069.tif 000004
(57)【要約】  【課題】  締結の最終段階でナット自体に緩み止め作用を生じさせる内部応力が蓄積されるようにすることで締め付け作業の効率化を図ることができるとともに、シングルナットでありながら大きな緩み止め作用を発揮することができ、かつ繰り返し使用にも耐えるものを提供する。  【解決手段】  内周面にネジ孔２が設けられたナット本体部３と、該ナット本体部３の底部に一体成形された座金部４とを備えるナットにおいて、座金部４の底面を径方向内方に至るにしたがって凹む凹面となし、本体部３と座金部４との間の外周面に、ナット締結時に座金部４の底面が平坦となる方向に座金部４が弾性変形することを許容する凹溝５を周方向に沿って形成する。【選択図】  図１
2008051269.tif 000002
【特許請求の範囲】
【請求項１】
内周面にネジ孔が設けられたナット本体部と、該ナット本体部の底部に一体成形された座金部とを備え、該座金部の底面は径方向内方に至るにしたがって凹む凹面となされ、本体部と座金部との間の外周面には、ナット締結時に座金部の底面が平坦となる方向に座金部が弾性変形することを許容する凹溝が周方向に沿って形成されていることを特徴とする緩み止めナット。
【請求項２】
座金部の底面の外周縁に対する内周縁の高さは、座金部の外径の２〜５％であることを特徴とする請求項１に記載の緩み止めナット。
【請求項３】
前記凹溝は全周にわたって連続して設けられていることを特徴とする請求項１又は２に記載の緩み止めナット。
【発明の詳細な説明】
【技術分野】
【０００１】
本発明は、緩み止めナットに関する。
【背景技術】
【０００２】
本願発明者は、Ｕナットやハードロックナット（登録商標）など、代表的な緩み止めナットの発明者でもある。Ｕナットはシングルナットであるため利便性が高いが、十分な緩み止め作用を発揮できない。一方、ハードロックナットは偏心凹凸嵌合する上下ナットのくさび効果によって極めて強力な緩み止めを行い得るものであるが、施工が煩雑であるとともに重量が大きくなるという欠点を有している。
【０００３】
シングルナットでありながら大きな緩み止め作用を発揮することができ、かつ繰り返し使用にも耐えるものが要望されている中、本願発明者は、特許文献１に記載の緩み止めナットを開発し、製造販売している。
【特許文献１】特開平１０−２８６６４９
【発明の開示】
【発明が解決しようとする課題】
【０００４】
上記特許文献１に記載の緩み止めナットも実用性が高いものではあるが、六角ナット部の上部に円錐台形状のかしめ部が存在するためナット全高が比較的高くなり、狭小な場所への取り付け性が良好ではないとともに、ボルトへの螺合初期からトルクが発生するプリベリングトルクナットの一種であるため、ナット締結作業に手間を要する。
【０００５】
そこで、本発明は、締結の最終段階でナット自体に緩み止め作用を生じさせる内部応力が蓄積されるようにすることで締め付け作業の効率化を図ることができるとともに、シングルナットでありながら大きな緩み止め作用を発揮することができ、かつ繰り返し使用にも耐えるものを提供することを目的とする。
【課題を解決するための手段】
【０００６】
本発明は、上記目的を達成するために、次の技術的手段を講じた。
【０００７】
即ち、本発明の緩み止めナットは、内周面にネジ孔が設けられたナット本体部と、該ナット本体部の底部に一体成形された座金部とを備え、該座金部の底面は径方向内方に至るにしたがって凹む凹面となされ、本体部と座金部との間の外周面には、ナット締結時に座金部の底面が平坦となる方向に座金部が弾性変形することを許容する凹溝が周方向に沿って形成されていることを特徴とするものである。これによれば、ナット本体部に一体成形した座金部の底面を凹面として該座金部の上部に凹溝を形成しているので、座金部底面が平坦となる方向に変形可能であり、かかる変形は恰もナット本体部を内周側下方に巻き込むようになるため、変形時にはナット本体部にも大きな内部応力が蓄積されて、これにより大きな緩み止め作用を発揮し得る。
【０００８】
上記本発明において、座金部の底面の外周縁に対する内周縁の高さは、座金部の外径の２〜５％であることが好ましい。また、前記凹溝は全周にわたって連続して設けられていることが好ましい。
【発明の効果】
【０００９】
本発明によれば、締結の最終段階でナット自体に緩み止め作用を生じさせる内部応力が蓄積されるようにすることで締め付け作業の効率化を図ることができるとともに、シングルナットでありながら大きな緩み止め作用を発揮することができ、かつ繰り返し使用にも耐えるものを提供することができる。
【発明を実施するための最良の形態】
【００１０】
以下、本発明の実施形態を図面に基づいて説明する。
【００１１】
図１及び図２は本発明の一実施形態に係る緩み止めナット１を示しており、該ナット１は、内周面にネジ孔２が設けられたナット本体部３と、該ナット本体部３の底部に一体成形された座金部４とから主構成されている。ナット本体部３は六角ナットの他、工具を装着可能な種々の形状であってよい。座金部４は全体として平板ドーナツ状を呈しており、座金部４の外径はナット本体の外接円の径よりも大きく、また、座金部４の内径は、ナット本体部３のネジ孔２の外径とほぼ等しい。
【００１２】
座金部４の底面は径方向内方に至るにしたがって凹む凹面となされ、座金部４の底面の外周縁に対する内周縁の高さは、座金部４の外径の２〜５％となされている。一方、座金部４の上面は平坦面に形成されている。
【００１３】
ナット本体部３と座金部４との間の外周面には、ナット締結時に座金部４の底面が平坦となる方向に座金部４が弾性変形することを許容する凹溝５が周方向に沿って全周にわたって連続して形成されている。この凹溝５が外周に形成された部位はナット本体部３と座金部４とを一体的に結合する結合部６として機能し、座金部４とナット本体部３とが一体となって弾性変形するようにしている。結合部６の外径は、ナット本体部３の外周面の内接円よりも小さく、これにより、六角ナットの一側面よりも径方向内方に凹溝５が形成されるようにしている。
【００１４】
さらに、結合部６の外径における座金部４の底面の高さｈ１よりも、座金部４の底面の内周縁の高さｈ２を高くすることにより、ナット締結の最終段階で結合部６の外径側では上方に押し上げられようとし、一方、結合部６の内径側では下方に押し下げられるように変形するため、僅かな変形量でもナット全体に多大な内部応力が蓄積され、大きな緩み止め効果が発揮される。
【００１５】
本発明のナットはＳ４５ＣやＳ５０Ｃなどの炭素鋼からなるものとし、テンパ加工することによって素材自体に所定の弾性を付与することが好ましいが、従来公知の適宜の材料や製造方法によって製造可能である。その他、本発明は上記実施形態に限定されるものではなく、適宜設計変更できる。
【図面の簡単な説明】
【００１６】
【図１】本発明の一実施形態に係る緩み止めナットの四面図であり、（ａ）は平面図、（ｂ）は正面図、（ｃ）は右側面図、（ｄ）は底面図である。
【図２】同ナットの縦断面拡大図である。
【図１】
2008051269.tif 000003
【図２】
2008051269.tif 000004
(57)【要約】【目的】  液体及び空気の圧力をエネルギー  とし、流体シリンダーの回路を加圧し、シリンダーピストンの運動を発生させる機関の製作方法の発想。【構成】流体シリンダーの単数及び複数を、直列又は、並列に閉回路を設置し、、液体及び空気等の流体の圧力を、シリンダーの片側に加圧することにより、  回路に回流を発生させ、交互加圧により、ピストンの往復運動をを発生させて成る圧力機関等の源動機の製造方法の発想。【選択図】図１
2008051329.tif 000002
【特許請求の範囲】
【請求項１】
流体シリンダーの両端の加圧回路に、液体及び空気等の流体の圧力を主体とした、加圧により、シリンダー回路に回流を生起し、ピストンの運動を発生させる如くして成る原動機関の製造方法の発想にある。
【発明の詳細な説明】
【産業上の利用分野】
【０００１】  本発明は流体シリンダーを、流体の圧力を主体とする加圧によりピストン運動を発生させる省入力原動機関の製造の発想そのものの提供を目的とする。
【背景技術】
【０００２】  従来のの体加圧機関は、加圧された流体の流入と排出により運動を発生させる方式を原理としていました。。
故にポンプ入力が、過大となる問題がありました。
【発明が解決しようとする課題】
【０００３】  従って、本発明は、流体の圧力のみを主入力トする発想故に、極めて省入力原動機関の提供となります。
【課題を解決する手段】
【０００４】  圧力のみを入力とする場合には、加圧した回路に内部回流運動を発生させる方式が必要です。
内部回流運動の発生には、回路内部に、圧力の高低の差の設定が必要です。
片側の回路は、圧力を放出して減圧し、反対側の回路に高圧を加圧する、圧力の不均衡状態の保持の要求です。
減圧を持続するには、高圧部から低圧部へ流れない一方向弁の設置が必要となります。
以上の場合、高圧部の加圧時、低圧部の減圧状態の保持及び、低圧部から高圧部への回流の連続作用をする状態が必要です。実施例の図１の９、１０の示す、低圧から高圧部え移動する特殊なバルブの設置が特徴となります
上記の機構として、消防ポンプの吐出口の如く奇斜型ノズル構造及びバルブコックの接触部等の構造の使用が必要です、又一方向弁の如き作用も必要です。
上記の特殊バルブの使用により、回路の交互加圧に於て交互回流を発生し、流体圧力を主入力とする流体機関が成立します。
以上が流体圧力を主入力として、シリンダー回路の加圧による運動発生の方式の発想の１例です。
【作用】
【０００５】  本機関の運動の入力は、流体の圧力ゆえに、流体の圧力の発生わ極めて省入力ゆえに、優れた高度な省入力運動発生機関となります。
更に燃料を連続して使用しない原動機の成立が可能となります。
【実施例】
【０００６】発想の一つとして実施例により、運動と構造を説明します、図１の第１実施例は、片軸の流体シリンダーの２本による往複運動型の並列配置構造です。
１３の推進軸が１８の前進方向の起動開始の状態を示しています。
初めに、２のポンプを駆動し回路を等加圧します、ピストン派対抗し動きませんの６の減圧弁を瞬時駆動し、１１のシリンダー左室を低圧とします。
次に７の前進加圧弁を加圧し、１１の推進シリンーの右室を加圧して、圧力を上昇し、１３のピストン軸を１８の方向に前進させます。
１３の軸が前進すれば、１４のクランク軸を介し、１５のクランクホイルを１６の方向に回転し、１７の軸に出力を発生します。
１１のシリンダーの起動直前に６の減圧弁を瞬時作動さす故に、１２の前進抵抗は消失します。
前進中の１１の低圧部の内部流体は１０の昇圧機構を通過視し、圧力を上昇して１２のシリンダーえ、高圧として回流する故に１２のピストンは、１９の方向に運動し、内部流体は１１の右室へ移動します。
１１の内部は、加圧源よりの流体の流入を必要とせづ回流のみにより前進運動を連続します。
以上が圧力を入力とした運動発生の原理です。
亦、減圧弁を小容量ポンプに取り替える方式も有効です。
次に、前進端に到達した場合、５の減圧弁を作動させ、１１の右室を減圧し、８の加圧弁をＯＮとすれば、１３の推進軸は、１９の方向に後退します。
後退端末に到達れば、再び前進の操作順序に従い電磁弁を作動することにより往復のサイクルを連続します。
以上わ、製造方式の発想のひとつの実施例です。
電磁弁の順次作動には、プログラムシーケンサーの使用が有効です。
亦、使用流体は、空気、水、油等が可能です。
尚、本機関の製造法は、加圧回路の変更により、多様な製造方式が可能です。【０００７】  本機関は。圧力を入力エネルギーとする故にきはめて省入力の原動機関となります。
尚、本機関の入力の圧力の発生は、流量が少量であれば１００ｋｇｆ／ｃｍ２の圧力も、０，４ｋｗのポンプモーターの吐出容量で可能です。
以上の説明により本機関が小入力により、大なるエネルギーを発生する原動機であるかは明らかであります。
亦、回転出力機構としては、一方向クラッチ、一方向ラック方式が可能です。【０００８】  亦、本機関は、アキュムレーター、ダイナモ、バッテリー、等の使用により独立としたエンジンとしての製造も可能であります。
亦、油圧ポンプを使用せず、アキュムレーターを加圧源とする方式も可能です
亦、入力ポンプを手動ポンプ方式とするも可能で有り、亦、シリンダーの単体及び  複数による直列配置方式も製造可能です。
亦、両軸シリンダーの使用も有効です。【０００９】  以上が図１の実施例の構造動作の説明です。
【発明の効果】
本発明の加圧回流回転機関は、極めて省入力故に、効率は９９％を超える可能性を有しています。
亦、構造が簡単であり大容量機関の製造も容易故に、多様な用途が可能です。
車両、船舶等の推進機関、発電機、冷凍機等の駆動原動機としてクリーンなエネルギーとして、更に、省エネルギー問題に貢献する重要な発明です。
【図面の簡単な説明】
【図１】第１実施例の構造動作説明図です。
【符号の説明】
１  原動機
２  流体ポンプ
３  圧力調整弁
４  推進準備弁
５  後退減圧弁
６  前進減圧弁
７  前進加圧弁
８  後退加圧弁
９  後退用昇圧機構
１０  前進用昇圧機構
１１  推進用シリンダー
１２  補助シリンダー
１３  推進軸
１４  クランク
１５  クランクホイル
１６  回転方向
１７  出力軸
１８  前進方向
１９  後退方向
２０  機械フレーム
【図１】
2008051329.tif 000003
(57)【要約】  【課題】冷蔵室内を照射するＬＥＤを備えた冷蔵庫において、発光源にＬＥＤが用いられた場合にも、ＬＥＤの光を適度に拡散することができ、庫内全体に光が行き渡る冷蔵庫を提供する。  【解決手段】ＬＥＤ１１４は、凹型の反射板１１３の内部に光を照射するように配置されている。ＬＥＤ駆動制御手段は、ＬＥＤ１１４を点灯させることにより、庫内灯は点灯となる。このときＬＥＤ１１４の光は反射板１１３により拡散照射され冷蔵室全体に均一に照射されることとなる。【選択図】図２
2008051366.tif 000002
【特許請求の範囲】
【請求項１】
冷蔵庫の庫内灯は凹形状の反射板とＬＥＤより構成され、前記ＬＥＤは、前期反射板に向け発光する様に配置されたことを特徴とする冷蔵庫。
【請求項２】
前記反射板に向け配置されたＬＥＤは、複数個により構成されたことを特徴とする請求項１に記載の冷蔵庫。
【請求項３】
ＬＥＤ通電制御手段は、前記ＬＥＤを順次点灯または点滅を行うことにより、警報灯として使用者に注意をうながすことを特徴とした請求項１または２に記載の冷蔵庫。
【発明の詳細な説明】
【技術分野】
【０００１】
本発明は、貯蔵室内を照射するＬＥＤを備えた冷蔵庫の庫内灯に関するものである。
【背景技術】
【０００２】
冷蔵庫の庫内灯は、冷蔵庫内の食品等を使用者に見やすくするためにあるが、使用者のさまざまな要求に応えるため、点灯方法や配置には工夫がなされてきた。また、一般に電球を用いた照明が用いられることが多いため、点光源の照明を拡散させるよう庫内灯のカバーの形状を工夫し、使用者により見やすい照明とした冷蔵庫が提案されている（例えば、特許文献１参照）。
【０００３】
図３は、特許文献１に記載された従来の冷蔵庫の庫内灯構造を示す断面図である。図３において庫内灯カバー１２の表面部１８は全高に渡り適宜の間隔を有して乳白色などに着色され、透過性を有するＰＭＭＡ樹脂等のプラスチツク材料で一体に複数個の湾曲状をした凹部２２を形成すると共に、他の表面部１８を隠蔽性を有する内箱３と同一色の白色等に着色した不透明な硬ＰＶＣ樹脂等の材料で２重押出し成形加工法により製作されるもので、これらにより凹部よりスリツト状に庫内を照射し、照射効果に優れ、かつ見栄えを良くするものである。
【特許文献１】特開平４−３３５９８４号公報
【発明の開示】
【発明が解決しようとする課題】
【０００４】
しかしながら、上記従来の構成では、光源が電球の場合には有効であるが、近年の技術進歩により省エネルギー等を目的とし発光源にＬＥＤが用いられた場合には、ＬＥＤの特性により光が拡散しにくく、庫内灯のカバーの加工のみでは庫内全体に光が行き渡らないという課題を有していた。また、この課題を解決する方法としては、多数のＬＥＤを何箇所にも分散して設置するという方法もあるが、部品点数の増加とコストが高くなるという課題があった。
【０００５】
本発明は、上記従来の課題を解決するもので、一箇所に設置したＬＥＤの光を適度に拡散することができ、安価で部品点数の少ないＬＥＤを用いた庫内灯をもつ冷蔵庫を提供することを目的とする。
【課題を解決するための手段】
【０００６】
上記従来の課題を解決するために本発明の冷蔵庫は、庫内灯には凹形状の反射板とＬＥＤより構成され、前記ＬＥＤは、反射板に向け発光する様に配置されたことによって、庫内均一にＬＥＤの光を拡散照射することができる。
【発明の効果】
【０００７】
本発明の冷蔵庫は、凹形状の反射板と、反射板に向け発光する様に配置されたＬＥＤにより冷蔵庫内に均一に照射する照明をもつ冷蔵庫を提供するとともに、ＬＥＤ通電制御手段により冷蔵庫の異常などを庫内灯の点灯、点滅により使用者にお知らせすることができる冷蔵庫を提供することができる。
【発明を実施するための最良の形態】
【０００８】
請求項１に記載の発明は、冷蔵庫の庫内に配置された庫内灯において、前記庫内灯は凹形状の反射板とＬＥＤより構成され、前記ＬＥＤは、前記反射板に向け発光する様に配置されたことにより、前記ＬＥＤから照射される光を前記反射板が冷蔵庫内に拡散照射することとなり、冷蔵庫内は均一に照明されるものである。
【０００９】
請求項２に記載の発明は、請求項１に記載の発明において、ＬＥＤは、複数個により構成されたことにより、前記ＬＥＤから照射される光を前記反射板が冷蔵庫内により拡散照射することとなり、冷蔵庫内は均一に照明されるものである。
【００１０】
請求項３に記載の発明は、請求項１または２に記載の発明において、ＬＥＤ通電制御手段を備えることにより、前記ＬＥＤ通電制御手段は、前記ＬＥＤを順次点灯または点滅を行うことにより、冷蔵庫の異常発生時には使用者に注意をうながすことすることができる。
【００１１】
（実施の形態１）
図１は、本発明の実施の形態１における冷蔵庫の制御装置のブロック図であり、冷蔵庫の構成と動作を示すものである。図２は、本発明の実施の形態１における冷蔵庫の庫内灯の詳細図である。
【００１２】
図１において、冷蔵庫１０２は、冷蔵室１０１と冷蔵室扉１０７とを備え、冷蔵室１０１の上部に庫内灯１１０が配置されている。またＬＥＤ駆動制御手段１１１は、冷蔵室１０１に設置された扉スイッチ１１２からの入力により庫内灯１１０の点灯、消灯を制御する。図２において、ＬＥＤ１１４は、凹型の反射板１１３の内部に光を照射するように配置されている。
【００１３】
以上のように構成された冷蔵庫について、以下その動作、作用を説明する。
【００１４】
まず、冷蔵庫１０２の電源投入後、冷蔵室１０１の冷蔵室扉１０７が開けられると扉スイッチ１１２の信号によりＬＥＤ駆動制御手段１１１は、ＬＥＤ１１４を点灯させることにより、庫内灯１１０は点灯となる。このときＬＥＤ１１４の光は図２に示すように反射板１１３により拡散照射され冷蔵室１０１全体に均一に照射されることとなる。また冷蔵室扉１０７が一定時間以上開けられるとＬＥＤ駆動制御手段１１１はＬＥＤ１１４を点滅させ使用者に長時間扉が開けられたことを警告するものである。
【００１５】
以上のように、本実施の形態においては反射板の反射によりＬＥＤの光を拡散照射するとともに、扉が長時間開けられて冷蔵室の温度が上昇することをＬＥＤを点滅させることで、使用者にお知らせすることができる。
【００１６】
本実施の形態では、扉の長時間開けたことに対する警報を示したが、冷蔵庫の検出する他の異常をお知らせすることに用いてもなんら問題はない。
【産業上の利用可能性】
【００１７】
以上のように、本発明にかかる冷蔵庫は、ＬＥＤの光の拡散を効率的に行うことで、一箇所の設置にもかかわらず均等に照射できる庫内灯を提供するもので、冷蔵庫に限らず、ＬＥＤの光を証明として用いる装置であれば、個々に応じた反射板を適用し、ＬＥＤの照射の均一化を図ることができる。
【図面の簡単な説明】
【００１８】
【図１】本発明の実施の形態１における冷蔵庫の制御装置のブロック図
【図２】本発明の実施の形態１における冷蔵庫の庫内灯の詳細図
【図３】従来の冷蔵庫の庫内灯の構造を示す断面図
【符号の説明】
【００１９】
１０２  冷蔵庫
１１０  庫内灯
１１１  ＬＥＤ駆動制御手段
１１３  反射板
１１４  ＬＥＤ
【図１】
2008051366.tif 000003
【図２】
2008051366.tif 000004
【図３】
2008051366.tif 000005
(57)【要約】【課題】精度の高い地図情報の作成と表記の住所の更新が行われた時でも速やかに新しい表記の住所の掲載された地図の発行を行う事ができるようにする。【解決手段】敷地や公園の角のＧＰＳより得られる位置情報を固定した座標とし、この固定された座標に表記の住所のデータを結び付ける事でひとつの地図情報の型とし、表記の住所が改定された時は表記の住所の情報を書き換えるだけで地図上の表記の住所に更新された表記の住所が表示される。【選択図】図１
2008077117.tif 000002
【特許請求の範囲】
【請求項１】
（イ）敷地や公園の角にＧＰＳより得られる位置情報を固定した座標とし、固定した座標に表記の住所の情報と結び付きを設ける。
（ロ）ＧＰＳより得られる位置情報を用いて断片的に地図情報の更新を設ける。
以上の構成よりなる作図システム。
【請求項２】
表記の住所の記録を書き換えることで地図上の表記の住所に更新された住所が表示される請求項１記載のシステム。
【発明の詳細な説明】
【技術分野】
【０００１】    本発明は、ＧＰＳを利用した地図作図システムに関するものである。
【背景技術】
【０００２】    従来の地図作成システムは、新しい表記の住所や敷地の変化などに多くの時間を費やして精度に問題があった。
【発明の開示】
【発明が解決しようとする課題】
【０００３】  これは、次のような問題点があった。
従来の地図作成システムは、新しい表記の住所の情報の更新や敷地の変化で生じた地図の情報の作成と更新に多くの時間を費やし且つ精度に問題があった。
【課題を解決するための手段】
【０００４】  従来の公の機関が発行する地図情報を用いての地図の制作及び販売手法では、地図の制作及び販売に多くの時間と労力が必要であった。ＧＰＳより得られる位置情報と従来の地図情報を一体化した地図情報で作図を行う事で、変更が必要となった地図情報をＧＰＳより得られる任意の位置情報から断片的に地図情報を更新する事で表記の住所や敷地の変化に多くの時間と労力をかけずに情報を更新する事ができる。
【発明の効果】
【０００５】  従来の地図は、公の機関が発行した情報を基に会社を始めとした組織が制作及び販売しているが、ＧＰＳより得られる位置情報と地図情報を一体化した型として制作及び販売する事で、変更された表記の住所や敷地の変化の情報を必要な地域だけ更新する事ができ、速やかにサービスの充実を図る事ができる。
【発明を実施するための最良の形態】
【０００６】  最新のＧＰＳより得られる位置情報と作図に必要な地図情報とこの２つをひとつの型として一体化した情報として処理できる機械、又はコンピュータである。
【図面の簡単な説明】
【０００７】
【図１】本発明の構成図である。
【符合の説明】
【０００８】  １  ＧＰＳ衛星
２  ＧＰＳにより得られる位置情報
３  ディスプレイに表示される画面情報
【図１】
2008077117.tif 000003
(57)【要約】      （修正有）【課題】地方自治体、及び企業、一般諸団体が発行する認証品、金券に類する有料ゴミ券、代金支払い済み証紙、固有の発行物などの模造防止に役立つシールを提供する。【解決手段】タックシール基材２、粘着剤４、剥離紙３から構成され、タックシール基材には含浸剤インキにより透かし１が形成されている。【選択図】図２
2008077022.tif 000002
【特許請求の範囲】
【請求項１】
吸浸性の高い含浸剤インキをタックシール原紙に印刷機械印刷工程を活用する事により、着色、無着色の何れを問わず、任意の色淡彩色で、被紙上に連続に製作し、透かしを表現する淡彩色透かしタックシールです。
【請求項２】
無着色透かしタックシール
【請求項３】
任意の色、淡彩色透かしタックシール
【請求項４】
任意の色、淡彩色透かし
【発明の詳細な説明】
【技術分野】
【０００１】  本発明はタックシールに、模様、及び文字を淡彩色の透かし加工製造するものである。
【背景技術】
【０００２】  従来透かし加工品においては、裏面に粘着剤塗工のされて無い用紙に加工されている。
これらの事は紙幣等から一般に知られて居る。
【発明の開示】
【発明が解決しようとする課題】
【０００３】  透かし製作については、製作多日数、裏面に粘着加工したラベルタイプ以外の一般用紙に制約される。無色透明透かしの実体。又、完成品の証紙、金券等の後加工に関しての形成は難題である。
【課題を解決するための手段】
【０００４】  タックシール印刷物の特定部分、又は全面に、透かしを加工し、特殊印刷物件として差別化でき、又直接現品に文面、絵柄を表示し難い物件に透かしタックシールを接着する事により、固体物多品種への表示が出来る。
【発明の効果】
【０００５】    本発明は、タックシール特有の用途業種類多大である同時に、模造品対策のセキュリティ用途、さらに固有の自己表現と、偽造防止用途につながる。
【発明を実施するための最良の形態】
【０００６】  以下、本発明の実施の形態を説明する。
一般印刷インキ粘度と同等の印刷適応含浸剤インキを用いて、印刷用版材を印刷機に設置し、機械を回転させ被加工紙、タックシール紙に透かしを形成させる。
（イ）タックシール原紙（７）をセットし，機械が回転すると、含浸剤インキ（６）が印刷版材（５）に転着し、機械が回転するとタックシール紙（７）に透かし含浸剤インキが転写され、透かし（１）を形成する。連続して切刃具（８）によって任意の寸法に仕上がる
【図面の簡単な説明】
【０００７】
【図１】本発明の透かしタックシール平面図。
【図２】図１におけるタックシールを中央で切断した断面図である。
【図３】本発明の制作工程図。
【符号の説明】
【０００８】  （１）透かし、（２）タックシール、（３）剥離紙、（４）粘着剤、（５）印刷版、（６）含浸剤インキ、（８）切刃具、（９）インキローラ、（１０）送り出しローラ、（１１）版受けローラ、
【図１】
2008077022.tif 000003
【図２】
2008077022.tif 000004
【図３】
2008077022.tif 000005